(57)【要約】【課題】処理量を軽減しつつ、アンテナ利得の改善を図ることができるインピーダンス調整装置、インピーダンス調整方法及び無線通信装置を提供すること。【解決手段】無線受信装置１００において、アンテナインピーダンスずれ指標算出部１３０が、使用周波数帯域の両端のサブキャリア間での測定品質の差に基づいて、ＶＳＷＲ特性の周波数推移を算出し、アンテナインピーダンス整合調整部１０５が、算出されたＶＳＷＲ特性の周波数推移に基づいて、インピーダンス回路のインピーダンスを調整する。こうすることで、使用周波数帯域の両端のサブキャリア間での測定品質の差を用いることにより、ＶＳＷＲ特性の周波数推移を少ない計算量で簡単に求めることができる。このＶＳＷＲ特性の周波数推移に基づいてインピーダンスを調整するので、処理量を軽減しつつ、アンテナ利得の改善、更には通信品質の改善を図ることができる。【選択図】図１
2009212712.tif 000002
【特許請求の範囲】
【請求項１】
インピーダンス回路を調整することで、アンテナによって送受信されるＲＦ信号の周波数偏差を調整するインピーダンス調整装置であって、
前記ＲＦ信号を複数のサブキャリアに分離する分離部と、
各サブキャリアの品質を測定する測定部と、
サブキャリア間での測定品質の差に基づいて、ＶＳＷＲ特性の周波数推移を算出する算出部と、
算出された前記ＶＳＷＲ特性の周波数推移に基づいて、前記インピーダンス回路のインピーダンスを調整するインピーダンス調整部と、
を具備するインピーダンス調整装置。
【請求項２】
前記測定部で測定された品質をサブキャリア毎に平均化する平均化処理部を有し、
前記算出部は、平均化された品質を用いて前記サブキャリア間での測定品質の差を算出し、当該測定品質の差に基づいて、ＶＳＷＲ特性の周波数推移を算出する、
請求項１に記載のインピーダンス調整装置。
【請求項３】
請求項１に記載のインピーダンス調整装置を具備する無線通信装置。
【請求項４】
インピーダンス回路を調整することで、アンテナによって送受信されるＲＦ信号の周波数偏差を調整するインピーダンス調整方法であって、
前記ＲＦ信号を複数のサブキャリアに分離するステップと、
各サブキャリアの品質を測定するステップと、
サブキャリア間での測定品質の差に基づいて、ＶＳＷＲ特性の周波数推移を算出するステップと、
算出された前記ＶＳＷＲ特性の周波数推移に基づいて、前記インピーダンス回路のインピーダンスを調整するステップと、
を具備するインピーダンス調整方法。
【発明の詳細な説明】
【技術分野】
【０００１】
本発明は、インピーダンス調整装置、インピーダンス調整方法及び無線通信装置に関する。
【背景技術】
【０００２】
人体は誘電体であり、電波を吸収するため、無線通信品質を劣化させる要因となることが知られている。
【０００３】
例えば、携帯端末のアンテナ付近にユーザの手が置かれることで、アンテナのインピーダンス不整合が生じ、本来のアンテナ特性が得られない場合がある。
【０００４】
図１３に携帯端末が自由空間に置かれている場合と、人体の側に置かれている場合の、ＶＳＷＲ（Voltage Standing Wave Ratio）の周波数特性を示す。図１３において、横軸は周波数であり、縦軸は、アンテナインピーダンスの整合度合いを示すＶＳＷＲである。ＶＳＷＲが１であるときに、最もインピーダンスの整合がとれている。
【０００５】
図１３（ａ）では、１６０ＭＨｚで最もインピーダンス整合がとれているのに対して、図１３（ｂ）では、人体の影響により最もインピーダンス整合がとれている周波数が自由空間の場合に比べて低周波数側にシフトしている。
【０００６】
そのため、自由空間で携帯端末の所望周波数に合わせてインピーダンスを設計しても、人体などの影響を受けることにより、その所望周波数でインピーダンスの整合がとれなくなってしまうことがある。この結果、最悪の場合通信が断絶してしまうなど、通信が不安定になってしまう問題がある。
【０００７】
またＭＩＭＯ通信では、複数のアンテナのうち一部のアンテナが人体の影響を受けることにより、アンテナ間での受信（送信）電力差（不等中央値）が生じる（非特許文献１参照）。この結果、ＭＩＭＯ通信においても、通信が不安定になったり、通信性能（伝送速度）が低下することになってしまう。
【０００８】
このような人体、物体の影響によるインピーダンス不整合を防止する技術として、非特許文献２に開示されている技術がある。
【０００９】
非特許文献２には、ＲＳＳＩ（受信電力強度）値を検出しながら最急降下法により、インピーダンスを自動整合する方法が開示されている。この最急降下法とは、誤差が小さくなるような結合荷重を数学的に求める方法である。  
【非特許文献１】天利悟, 岩井浩, 山本温, 小川晃一, “ブランチ間受信電力差のある端末MIMOの伝送容量推定に関する基礎検討（An Investigation on a Method for Estimating the Channel Capacity of a Handset MIMO under Imbalance Received Power Conditions）,”信学技報,AP2006-32,pp.127-132,May.2006.
【非特許文献２】小川晃一, 高橋司, 小柳芳雄, 伊藤公一, “最急降下法による人体近傍アクティブアンテナのインピーダンス自動整合,”信学論誌B,Vol.J87-B No.9,pp.1287-1298,Sep.2004.
【発明の開示】
【発明が解決しようとする課題】
【００１０】
しかしながら、上記した従来のインピーダンス調整方法では、アンテナ利得改善は図れるものの、計算量が膨大であり、また収束性及び追従性が悪い問題がある。
【００１１】
本発明は、かかる点に鑑みてなされたものであり、処理量を軽減しつつ、アンテナ利得の改善を図ることができるインピーダンス調整装置、インピーダンス調整方法及び無線通信装置を提供することを目的とする。
【課題を解決するための手段】
【００１２】
本発明のインピーダンス調整装置は、インピーダンス回路を調整することで、アンテナによって送受信されるＲＦ信号の周波数偏差を調整するインピーダンス調整装置であって、前記ＲＦ信号を複数のサブキャリアに分離する分離回路と、各サブキャリアの品質を測定する測定回路と、サブキャリア間での測定品質の差に基づいて、ＶＳＷＲ特性の周波数推移を算出する算出回路と、算出された前記ＶＳＷＲ特性の周波数推移に基づいて、前記インピーダンス回路のインピーダンスを調整するインピーダンス調整回路と、を具備する構成を採る。
【００１３】
本発明の無線通信装置は、上記したインピーダンス調整装置を備える。
【００１４】
本発明のインピーダンス調整方法は、インピーダンス回路を調整することで、アンテナによって送受信されるＲＦ信号の周波数偏差を調整するインピーダンス調整方法であって、前記ＲＦ信号を複数のサブキャリアに分離するステップと、各サブキャリアの品質を測定するステップと、サブキャリア間での測定品質の差に基づいて、ＶＳＷＲ特性の周波数推移を算出するステップと、算出された前記ＶＳＷＲ特性の周波数推移に基づいて、前記インピーダンス回路のインピーダンスを調整するステップと、を具備する。
【発明の効果】
【００１５】
本発明によれば、処理量を軽減しつつ、アンテナ利得の改善を図ることができるインピーダンス調整装置、インピーダンス調整方法及び無線通信装置を提供することができる。
【発明を実施するための最良の形態】
【００１６】
以下、本発明の実施の形態について図面を参照して詳細に説明する。なお、実施の形態において、同一の構成要素には同一の符号を付し、その説明は重複するので省略する。
【００１７】
（実施の形態１）
図１に示すように実施の形態１に係る無線受信装置１００は、アンテナインピーダンス整合調整部１０５と、無線部１１０と、高速フーリエ変換部（ＦＦＴ）部１１５と、品質測定部１２０と、復調部１２５と、アンテナインピーダンスずれ指標算出部１３０とを有する。無線受信装置１００は、送信側から無線受信装置１００との通信に使用される使用周波数帯域で送信されたマルチキャリア信号（例えば、ＯＦＤＭ(Orthogonal Frequency Division Multiplexing:直交波周波数分割多重)信号）を受信する。
【００１８】
アンテナインピーダンス整合調整部１０５は、アンテナインピーダンスずれ指標算出部１３０にて算出されたＶＳＷＲ特性の周波数推移に基づいて、アンテナのインピーダンス回路（図示せず）のインピーダンス値を調整する。
【００１９】
無線部１１０は、アンテナを介して受信したＲＦ信号に対して所定の受信無線処理（ダウンコンバート、Ａ／Ｄ変換など）を施し、得られた受信信号をＦＦＴ部１１５に出力する。
【００２０】
高速フーリエ変換部（ＦＦＴ）部１１５は、無線部１１０から受け取る受信信号に対して高速フーリエ変換処理を施し、得られたサブキャリア信号を品質測定部１２０及び復調部１２５に出力する。すなわち、無線部１１０及びＦＦＴ部１１５は、ＲＦ信号を複数のサブキャリア信号に分離している。
【００２１】
品質測定部１２０は、サブキャリア毎の品質を測定する。この品質測定は、送信側においてサブキャリアに配置されたリファレンス信号（ＲＳ）であるパイロット信号を用いて測定される。
【００２２】
具体的には、品質測定部１２０は、チャネル推定部１３５と、信号・雑音電力推定部１４０とを有する。
【００２３】
チャネル推定部１３５は、パイロット信号を用いて、サブキャリア毎のチャネル推定値を算出する。
【００２４】
信号・雑音電力推定部１４０は、チャネル推定部１３５で得られたチャネル推定値に基づいて、信号電力及び雑音電力を算出する。この算出処理は、サブキャリア毎に行われる。算出された信号電力及び雑音電力は、サブキャリア毎の品質を表す指標として用いることができる。
【００２５】
復調部１２５は、品質測定部１２０にて測定された測定品質に基づいて受信信号に含まれる情報信号を復調する。
【００２６】
アンテナインピーダンスずれ指標算出部１３０は、サブキャリア間での測定品質の差に基づいて、ＶＳＷＲ特性の周波数推移を算出する。
【００２７】
具体的には、アンテナインピーダンスずれ指標算出部１３０は、帯域内偏差算出部１４５と、周波数推移算出部１５０とを有する。
【００２８】
帯域内偏差算出部１４５は、品質測定部１２０の測定結果を用いて、使用周波数帯域における測定品質の傾き度合(偏差)を算出する。品質測定部１２０で測定された信号電力が、測定品質として用いられる。ここでは帯域内偏差算出部１４５は、偏差が所定の閾値以上であるときに、算出した偏差を周波数推移算出部１５０に出力する。
【００２９】
周波数推移算出部１５０は、帯域内偏差算出部１４５にて算出された偏差に基づいて、ＶＳＷＲ特性の周波数推移を算出する。
【００３０】
具体的には、周波数推移算出部１５０は、帯域内偏差算出部１４５にて算出された偏差に基づいて、測定ＶＳＷＲ特性が理想ＶＳＷＲ特性を基準として周波数においてどちら方向にずれているかを判断する（ずれ方向判断処理）。また、周波数推移算出部１５０は、帯域内偏差算出部１４５にて算出された偏差に基づいて、測定ＶＳＷＲ特性が理想ＶＳＷＲ特性を基準としてどれだけずれているかを算出する（ずれ量算出処理）。
【００３１】
上記した構成を有する無線受信装置１００の動作について説明する。図２は、この動作説明に供する図である。
【００３２】
無線受信装置１００は、アンテナを介して図２（ａ）に示すような時間領域信号のＲＳ信号を受信する。
【００３３】
このＲＳ信号は、無線部１１０で受信無線処理された後、ＦＦＴ部１１５でサブキャリア信号に分離される（図２（ｂ）参照）。
【００３４】
品質測定部１２０では、サブキャリアの品質が測定される。この品質測定は、すべてのサブキャリアについて行われてもよいし、又は、代表的なサブキャリアについて行われてもよい。代表的なサブキャリアとしては、例えば図２（ｃ）に示すように、使用周波数帯域における、中心周波数のサブキャリア及び両端のサブキャリアを用いることができる。
【００３５】
信号・雑音電力推定部１４０では、チャネル推定部１３５で得られたチャネル推定値に基づいて、信号電力ξが算出される（図２（ｄ）参照）。
【００３６】
アンテナインピーダンスずれ指標算出部１３０では、使用周波数帯域の両端のサブキャリアの測定品質の差δが所定の閾値α以上であるときに、ＶＳＷＲ特性の周波数推移を算出する（図２（ｅ）参照）。すなわち、使用周波数帯域の両端のサブキャリアの測定品質の差は、測定ＶＳＷＲ特性の理想ＶＳＷＲ特性に対するずれ量を示しているので、アンテナインピーダンスずれ指標算出部１３０は、そのずれ量が所定値以上であるときに、ＶＳＷＲ特性の周波数推移を算出する。
【００３７】
また、測定ＶＳＷＲ特性の理想ＶＳＷＲ特性に対するずれ方向は、両端のサブキャリアのうち測定品質が落ち込んでいるサブキャリアとは反対の方向である（図２（ｆ）参照）。なお、人体などの影響を受けずに、インピーダンスの不整合が生じていない状態（理想状態）では、ＶＳＷＲ特性の中心は、中心周波数と略一致する（図３（ａ）参照）。
【００３８】
アンテナインピーダンスずれ指標算出部１３０は、両端のサブキャリアのうち測定品質が落ち込んでいるサブキャリアと、使用周波数帯域の中心サブキャリアとの離間周波数を、ずれ量Ｆ’と見なす（図２（ｆ）参照）。
【００３９】
アンテナインピーダンスずれ指標算出部１３０は、こうして算出されたずれ方向及びずれ量（つまり、ずれベクトル）を、ＶＳＷＲ特性の周波数推移としてアンテナインピーダンス整合調整部１０５に出力する（図３（ｂ）参照）。
【００４０】
アンテナインピーダンス整合調整部１０５は、ずれベクトルと、これに対応するインピーダンス値とを記憶するテーブルを有する。アンテナインピーダンス整合調整部１０５は、アンテナインピーダンスずれ指標算出部１３０から受け取るずれベクトルに対応するインピーダンス値をインピーダンス回路に設定することにより、アンテナインピーダンスを調整する。なお、アンテナインピーダンス整合調整部１０５は、上記したテーブルの代わりに、ずれベクトルをインピーダンス値に変換する変換式を記憶しておき、アンテナインピーダンスずれ指標算出部１３０からずれベクトルを受け取る度に、上記変換式を用いて設定インピーダンス値を算出してもよい。
【００４１】
このように実施の形態１によれば、無線受信装置１００において、アンテナインピーダンスずれ指標算出部１３０が、使用周波数帯域の両端のサブキャリア間での測定品質の差に基づいて、ＶＳＷＲ特性の周波数推移を算出し、アンテナインピーダンス整合調整部１０５が、算出されたＶＳＷＲ特性の周波数推移に基づいて、インピーダンス回路のインピーダンスを調整する。アンテナインピーダンスずれ指標算出部１３０及びアンテナインピーダンス整合調整部１０５は、インピーダンス調整装置を構成する。
【００４２】
こうすることで、使用周波数帯域の両端のサブキャリア間での測定品質の差を用いることにより、ＶＳＷＲ特性のずれ方向及びずれ量を示すＶＳＷＲ特性の周波数推移を少ない計算量で簡単に求めることができる。このＶＳＷＲ特性の周波数推移に基づいてインピーダンス回路のインピーダンスを調整することによりアンテナのインピーダンス整合を図るので、処理量を軽減しつつ、アンテナ利得の改善、更には通信品質の改善を図ることができる。
【００４３】
なお、上記説明においては、図４（ａ）に示すように中心サブキャリア及び両端のサブキャリアの品質を測定し、両端のサブキャリア間での測定品質の差を用いることにより、ＶＳＷＲ特性の周波数推移を算出している。しかしながら、本発明はこれに限定されるものではなく、例えば、図４（ｂ）に示すように低周波数側のサブキャリア群２０１と、当該サブキャリア群と使用帯域の中心周波数を対称軸として対称位置の高周波数側のサブキャリア群２０２との測定品質の差を用いることにより、ＶＳＷＲ特性の周波数推移を算出してもよい。要は、サブキャリア間での測定品質の差に基づいて、ＶＳＷＲ特性の周波数推移を算出し、算出されたＶＳＷＲ特性の周波数推移に基づいて、インピーダンス回路のインピーダンスを調整できればよい。
【００４４】
図４（ｂ）の例では、低周波数側のサブキャリア群の測定品質平均値と、高周波数側のサブキャリア群の測定品質平均値との差に基づいて、ずれ方向が判断される。また、測定品質平均値が小さい方のサブキャリア群の中で最も測定品質の小さいサブキャリアと、中心サブキャリアとの離間周波数が、ずれ量として扱われる。
【００４５】
例えば、図５（ａ）に示すような品質測定結果が得られた場合、ずれ方向は、高周波数側であり、ずれ量は、中心サブキャリアと一番高周波数側のサブキャリアとの離間周波数である。同様に、図５（ｂ）に示すような品質測定結果が得られた場合、ずれ方向は、低周波数側であり、ずれ量は、中心サブキャリアと一番低周波数側のサブキャリアとの離間周波数である。
【００４６】
なお、上記説明においては、ＳＩＳＯ(Single Input Single Output)を前提として説明しているが、本発明はこれに限定されるものではなく、ＭＩＭＯ(Multi Input Multi Output)にも適用できる。すなわち、無線受信装置の複数アンテナのそれぞれに対して上述したようなインピーダンス調整を行うことにより、アンテナ間での品質の偏り（不等中央値）の発生を防止することができる。
【００４７】
（実施の形態２）
実施の形態２では、伝搬路のフェージングの影響を排除するために、測定品質の平均化を行う。
【００４８】
図６に示すように実施の形態２に係る無線受信装置３００は、平均品質算出部３１０を有する。
【００４９】
平均品質算出部３１０は、品質測定部１２０で測定された品質をサブキャリア毎に平均化する。品質測定部１２０で測定された信号電力が、測定品質として用いられる。
【００５０】
帯域内偏差算出部１４５は、平均品質算出部３１０で平均化された品質を用いて、使用周波数帯域における測定品質の傾き度合(偏差)を算出する。
【００５１】
ここで、動的な環境下(図７（ｂ）)では、静的な環境下(図７（ａ）)に比べて、フェージングの影響によりサブキャリアの品質が瞬時的、かつランダムに大きく変動する。そのため、品質の変動に、フェージングによる影響と、物体、人体などによる影響とが混在してしまう。この場合、無線受信装置３００の制御負荷が膨大になり、システム的に不安定になると考えられる。
【００５２】
本実施の形態の無線受信装置３００では、平均品質算出部３１０が、品質測定部１２０で測定された品質をサブキャリア毎に平均化する。こうすることで、品質の変動からフェージングの影響を排除することができる。
【００５３】
（実施の形態３）
実施の形態３では、平均品質算出部の平均化長をフェージング周波数に応じて適応的に変更する。
【００５４】
図８に示すように実施の形態３に係る無線受信装置４００は、位相回転量検出部４１０と、フェージング周波数算出部４２０と、平均化長算出部４３０とを有する。
【００５５】
位相回転量検出部４１０は、チャネル推定部１３５で求められたチャネル推定値を用いて、位相回転量を検出する。
【００５６】
フェージング周波数算出部４２０は、位相回転量検出部４１０で検出された位相回転量に基づいてフェージング周波数を算出する。
【００５７】
平均化長算出部４３０は、フェージング周波数算出部４２０で算出されたフェージング周波数に基づいて、平均化長を決定する。平均化長算出部４３０は、フェージング周波数が速い程、平均化長を長くする。こうして平均化長を長くすることにより、フェージング周波数が速くなるにつれてフェージングの影響によるサブキャリアの品質の変動が激しくなっても、平均品質算出部３１０では、その激しい変動成分を排除した平均品質を求めることができる。
【００５８】
（実施の形態４）
実施の形態４では、実施の形態１で示されたインピーダンス調整装置を無線送信装置に適用する。
【００５９】
図９に示すように実施の形態４に係る無線送信装置５００は、変調部５０５と、ＩＦＦＴ部５１０と、無線部５１５と、アンテナインピーダンス整合調整部５２０と、無線部５２５と、ＦＦＴ部５３０と、品質測定部５３５と、アンテナインピーダンスずれ指標算出部５４０とを有する。
【００６０】
変調部５０５は、情報信号及びリファレンス信号（ＲＳ）を入力とし、変調処理を施した後にＩＦＦＴ部５１０に出力する。
【００６１】
ＩＦＦＴ（逆高速フーリエ変換）部５１０は、変調部５０５から受け取る変調信号に対して逆高速フーリエ変換を施し、得られたＯＦＤＭ信号を無線部５１５に出力する。
【００６２】
無線部５１５は、ＯＦＤＭ信号に対して所定の送信無線処理（Ｄ／Ａ変換、アップコンバートなど）を施し、得られたＲＦ信号をアンテナインピーダンス整合調整部５２０を介して送信する。
【００６３】
アンテナインピーダンス整合調整部５２０は、アンテナインピーダンスずれ指標算出部５４０にて算出されたＶＳＷＲ特性の周波数推移に基づいて、アンテナのインピーダンス回路（図示せず）のインピーダンス値を調整する。
【００６４】
無線部５２５は、アンテナインピーダンス整合調整部５２０の出力であるＲＦ信号に対して所定の無線受信処理を施し、得られた信号をＦＦＴ部５３０に出力する。
【００６５】
ＦＦＴ部５３０は、無線部５２５から受け取る信号に対して高速フーリエ変換処理を施し、得られたサブキャリア信号を品質測定部５３５に出力する。すなわち、無線部５２５及びＦＦＴ部５３０は、ＲＦ信号を複数のサブキャリア信号に分離している。
【００６６】
品質測定部５３５は、サブキャリア毎の品質を測定する。この品質測定は、サブキャリアに配置されたリファレンス信号（ＲＳ）を用いて測定される。
【００６７】
アンテナインピーダンスずれ指標算出部５４０は、サブキャリア間での測定品質の差に基づいて、ＶＳＷＲ特性の周波数推移を算出する。
【００６８】
具体的には、アンテナインピーダンスずれ指標算出部５４０は、帯域内偏差算出部５４５と、周波数推移算出部５５０とを有する。
【００６９】
帯域内偏差算出部５４５は、品質測定部５３５の測定結果を用いて、使用周波数帯域における測定品質の傾き度合(偏差)を算出する。品質測定部５３５で測定された信号電力が、測定品質として用いられる。ここでは帯域内偏差算出部５４５は、偏差が所定の閾値以上であるときに、算出した偏差を周波数推移算出部５５０に出力する。
【００７０】
周波数推移算出部５５０は、帯域内偏差算出部５４５にて算出された偏差に基づいて、ＶＳＷＲ特性の周波数推移を算出する。
【００７１】
具体的には、周波数推移算出部５５０は、帯域内偏差算出部５４５にて算出された偏差に基づいて、測定ＶＳＷＲ特性が理想ＶＳＷＲ特性を基準として周波数においてどちら方向にずれているかを判断する（ずれ方向判断処理）。また、周波数推移算出部５５０は、帯域内偏差算出部５４５にて算出された偏差に基づいて、測定ＶＳＷＲ特性が理想ＶＳＷＲ特性を基準としてどれだけずれているかを算出する（ずれ量算出処理）。
【００７２】
なお、ずれ方向判断処理及びずれ量算出処理には、実施の形態１で示された種々のバリエーションを用いることができる。
【００７３】
（他の実施の形態）
本実施の形態は、実施の形態１乃至４において説明したアンテナインピーダンス調整処理を実行するトリガのバリエーションに関する。ここでは、当該バリエーションを実施の形態１に適用した場合について説明する。
【００７４】
（１）通信の開始をトリガとする場合
図１０に示すように無線受信装置６００は、通信開始検出部６１０を有する。この通信開始検出部６１０は、無線受信装置６００の通信開始を検出する。そして通信開始検出部６１０は、通信開始を検出したときに、アンテナインピーダンスずれ指標算出部１３０に対して起動信号を出力する。アンテナインピーダンスずれ指標算出部１３０は、この起動信号を受け取って初めて、ＳＷＲ特性の周波数推移を算出する。
【００７５】
こうすることにより、無線受信装置６００は通信開始時だけインピーダンス調整処理を動作させることができるので、消費電力を削減することができる。
【００７６】
（２）端末の状態をトリガとする場合
図１１に示すように無線受信装置７００は、端末状態検出部７１０を有する。この端末状態検出部７１０は、無線受信装置７００の状態を検出する。具体的には、無線受信装置７００は折り畳み型端末であり、当該端末が開いている状態を検出する。端末状態検出部７１０は、端末が開いている状態にあることを検出すると、アンテナインピーダンスずれ指標算出部１３０に対して起動信号を出力する。アンテナインピーダンスずれ指標算出部１３０は、この起動信号を受け取って初めて、ＳＷＲ特性の周波数推移を算出する。
【００７７】
こうすることにより、無線受信装置７００は、通信する可能性の高い、端末が開いている状態の時だけインピーダンス調整処理を動作させることができるので、消費電力を削減することができる。
【００７８】
（３）ＭＩＭＯ通信を行う場合
図１２に示すように無線受信装置８００は、ＳＮＲ算出部８１０と、ＳＮＲ判定部８２０とを有する。なお図１２では、１つのアンテナのみが示され、他のアンテナは図示されていない。
【００７９】
ＳＮＲ算出部８１０は、信号・雑音電力推定部１４０で算出された信号電力及び雑音電力を用いて、ＳＮＲ値を算出する。
【００８０】
ＳＮＲ判定部８２０は、ＳＮＲ算出部８１０で算出されたＳＮＲ値と、所定の閾値とを比較し、ＳＮＲ値が所定の閾値より以上の場合のみアンテナインピーダンスずれ指標算出部１３０に対して起動信号を出力する。アンテナインピーダンスずれ指標算出部１３０は、この起動信号を受け取って初めて、ＳＷＲ特性の周波数推移を算出する。
【００８１】
こうすることにより、無線受信装置８００は、ＳＮＲが大きい場合、すなわち通信性能に対する不等中央値の影響が大きい場合にのみインピーダンス調整処理を動作させることができるので、消費電力を削減することができる。
【産業上の利用可能性】
【００８２】
本発明のインピーダンス調整装置、インピーダンス調整方法及び無線通信装置は、処理量を軽減しつつ、アンテナ利得の改善を図ることができるものとして有用である。
【図面の簡単な説明】
【００８３】
【図１】本発明の実施の形態１に係る無線受信装置の構成を示すブロック図
【図２】図１の無線受信装置の動作説明に供する図
【図３】図１の無線受信装置のずれ方向判断処理及びずれ量算出処理の説明に供する図
【図４】ずれ方向判断処理及びずれ量算出処理に用いるサブキャリアの選択バリエーションを示す図
【図５】図４に示された選択バリエーションの１つの場合のずれ方向判断処理及びずれ量算出処理の説明に供する図
【図６】実施の形態２に係る無線受信装置の構成を示すブロック図
【図７】フェージングの説明に供する図
【図８】実施の形態３に係る無線受信装置の構成を示すブロック図
【図９】実施の形態４に係る無線送信装置の構成を示すブロック図
【図１０】他の実施の形態（１）に係る無線受信装置の構成を示すブロック図
【図１１】他の実施の形態（２）に係る無線受信装置の構成を示すブロック図
【図１２】他の実施の形態（３）に係る無線受信装置の構成を示すブロック図
【図１３】携帯端末が自由空間に置かれている場合と、人体の側に置かれている場合の、ＶＳＷＲ（Voltage Standing Wave Ratio）の周波数特性を示す図
【符号の説明】
【００８４】
１００，３００，４００，６００，７００，８００  無線受信装置
１０５，５２０  アンテナインピーダンス整合調整部
１１０，５１５，５２５  無線部
１１５，５３０  ＦＦＴ部
１２０，５３５  品質測定部
１２５  復調部
１３０，５４０  アンテナインピーダンスずれ指標算出部
１３５  チャネル推定部
１４０  信号・雑音電力推定部
１４５，５４５  帯域内偏差算出部
１５０，５５０  周波数推移算出部
３１０  平均品質算出部
４１０  位相回転量検出部
４２０  フェージング周波数算出部
４３０  平均化長算出部
５００  無線送信装置
５０５  変調部
５１０  ＩＦＦＴ部
６１０  通信開始検出部
７１０  端末状態検出部
８１０  ＳＮＲ算出部
８２０  ＳＮＲ判定部
【図１】
2009212712.tif 000003
【図２】
2009212712.tif 000004
【図３】
2009212712.tif 000005
【図４】
2009212712.tif 000006
【図５】
2009212712.tif 000007
【図６】
2009212712.tif 000008
【図７】
2009212712.tif 000009
【図８】
2009212712.tif 000010
【図９】
2009212712.tif 000011
【図１０】
2009212712.tif 000012
【図１１】
2009212712.tif 000013
【図１２】
2009212712.tif 000014
【図１３】
2009212712.tif 000015